(57)【特許請求の範囲】
【請求項１】
長靴の製造工程において、長靴の金型本体（Ｘ）の側面にスリット（Ｙ）を形成し、該金型本体（Ｘ）に、長靴となる一端を閉塞した筒状原料（１）を嵌挿し、スリット（Ｙ）には、スリット（Ｙ）に嵌まる挿入具（Ｚ）で、筒状原料をスリット（Ｙ）内部に押し込み、一時固定しておき、これら押し込まれた筒状原料（１）の折りひだ（３）を形成し、この折りひだ（３）のそれぞれ両側（４ａ）（４ａ′）にファスナー（５）を貼り付け、これらを加硫することを特徴とする水田用長靴の製造方法。
【請求項２】
長靴の製造工程において、長靴の金型本体（Ｘ）の側面に、頂部にスリット（Ｙ）を有するスリット形成部材（Ｘａ）を装着し、該スリット形成部材（Ｘａ）を装着した金型本体（Ｘ）に、長靴となる一端を閉塞した筒状原料（１）を嵌挿し、スリット（Ｙ）には、スリット（Ｙ）に嵌まる挿入具（Ｚ）で、筒状原料をスリット（Ｙ）内部に押し込み、一時固定しておき、これら押し込まれた筒状原料（１）の折りひだ（３）を形成し、この折りひだ（３）のそれぞれ両側（４ａ）（４ａ′）にファスナー（５）を貼り付け、これらを加硫することを特徴とする水田用長靴の製造方法。
【発明の詳細な説明】
【０００１】
【発明の属する技術分野】
この発明は、水田用長靴の製造方法に関する。
【０００２】
【従来の技術】
従来、水田等の作業に使用する、例えば、田植え用長靴は、総ゴム製であり、重量もかなりあり、大変、疲れるものであったが、最近の機械化農業の復旧に伴い、出来るだけ軽量とし、水田等に足跡が大きく残ると、苗を植え付けする際に、作業に支障を来す関係上、ナイロンソックスに、ゴムシートを張りつけた細身タイプで足に密着する、軽快な水田用の長靴が発明され、市販されている。
【０００３】
しかしながら、この軽快な水田用の長靴は、足への着脱が極めて困難であり、高齢者の使用に際しては、大変な困難を生ずるという実情があり、そのため、長靴本体の履き口から踝、あるいは踝付近にかけて折り畳みヒダを形成し、これら襞の山間に、ファスナーを設け、足への着・脱時にファスナーを開放して履き易くすると共に、長靴本体の周囲に切れ目がないため、水田等の水が長靴の内部に進入しない便利な水田用長靴がある。
【０００４】
しかし、この水田用長靴も、大量生産をするためには、ファスナーの取り付け部分の製造が極めて困難であり、その容易な製造方法の開発が望まれている。
【０００５】
【発明が解決しようとする課題】
そこで、この発明は、上記の欠点を改良し、水田用長靴のファスナーの取り付け部分を、省力的に製造する水田用長靴製造方法を開発・提供することにある。
【０００６】
【課題を解決するための手段】
そのため、長靴の製造工程において、長靴の金型本体にスリットを形成し、該金型本体に、長靴となる一端を閉塞した筒状原料を嵌挿し、スリットには、スリットに嵌まる挿入具で、筒状原料をスリット内部に押し込み、一時固定しておき、これら押し込まれた筒状原料の折りひだを形成し、この折りひだのそれぞれ両側にファスナーを貼り付け、これらを加硫することを特徴とする水田用長靴の製造方法からなるものである。
【０００７】
【発明の実施の形態】
この発明の第一の発明の一実施例を図１〜３に従って説明すると、長靴の製造工程において、長靴の金型本体（Ｘ）にスリット（Ｙ）を形成し、該金型本体（Ｘ）の側面に、長靴となる一端を閉塞した筒状原料（１）を嵌挿し、スリット（Ｙ）には、スリット（Ｙ）に嵌まる挿入具（Ｚ）で、筒状原料をスリット（Ｙ）内部に押し込み、一時固定しておき、これら押し込まれた筒状原料（１）のひだ（３）のそれぞれ両側，即ちひだの山（４ａ）（４ａ′）にファスナー（５）を貼り付け、これらを加硫することを特徴とする水田用長靴の製造方法から構成されるものである。
【０００８】
そして、スリット（Ｙ）は、長靴本体（１０）の履き口（２）から踝（Ａ）、あるいは踝付近にかけて折り畳みのひだ（３）を形成し、これらひだの山（４ａ）（４ｂ）間に、ファスナー（５）を跨座して設けるものである。
【０００９】
また、挿入具（Ｚ）は、金型本体（Ｘ）にスリット（Ｙ）に長靴となる一端を閉塞した筒状原料（１）を介して挿入するものであるが、図２に示すように、最初に、金型本体（Ｘ）に対して直交方向に押し込み、そして、金型本体（Ｘ）の左あるいは右の内面に密着するよう移動して、一時固定するものである。
【００１０】
また、ファスナー（５）は、レールファスナーをはじめ、あらゆる種類のファスナーでもよく、特に、限定はしない。そして、ファスナー（５）の両端部は、上面にゴム片（６）（６）で被覆し、液体ゴムを塗布して固定するものである。
【００１１】
さらに、長靴となる一端を閉塞した筒状原料（１）の一例を述べると、先端が丸いジュラルミン製の板か、あるいは股付きのジュラルミン製の板に、ナイロンソックスを装着し、このナイロンソックスを装着した板を、上・下ローラ間（下ローラは、ゴム糊タンクに浸漬している）を通過させることにより、ゴム糊をナイロンソックスに付着させ、これを乾燥させた後、ゴムシートを貼りつけ、ジュラルミン製の板を抜き取ったものをいう。
【００１２】
そして、筒状原料（１）の上端部、即ち、履き口（２）には、伸縮性素材を設けて、足に装着した際に、履き口がフィットするよう構成してもよい。
【００１３】
次に、この発明の第二の発明の実施例を図４〜５に従って説明すると、長靴の製造工程において、長靴の金型本体（Ｘ）の側面に、頂部にスリット（Ｙ）を有するスリット形成部材（Ｘａ）を装着し、該スリット形成部材（Ｘａ）を装着した金型本体（Ｘ）に、長靴となる一端を閉塞した筒状原料（１）を嵌挿し、スリット（Ｙ）には、スリット（Ｙ）に嵌まる挿入具（Ｚ）で、筒状原料をスリット（Ｙ）内部に押し込み、一時固定しておき、これら押し込まれた筒状原料（１）の折りひだ（３）を形成し、この折りひだ（３）のそれぞれ両側（４ａ）（４ａ′）にファスナー（５）を貼り付け、これらを加硫することを特徴とする水田用長靴の製造方法から構成されるものである。
【００１４】
尚、頂部にスリット（Ｙ）を有するスリット形成部材（Ｘａ）は、長靴の金型本体（Ｘ）の側面とは、着脱可能に設け、また、長靴となる一端を閉塞した筒状原料（１）は、長靴の金型本体（Ｘ）の径よりも大きめに作成するものである。
【００１５】
【発明の効果】
この発明の第一の発明によると、長靴の製造工程において、長靴の金型本体（Ｘ）の側面にスリット（Ｙ）を形成し、該金型本体（Ｘ）に、長靴となる一端を閉塞した筒状原料（１）を嵌挿し、スリット（Ｙ）には、スリット（Ｙ）に嵌まる挿入具（Ｚ）で、筒状原料をスリット（Ｙ）内部に押し込み、一時固定することにより、既存の部材である長靴の金型本体（Ｘ）を一部改良することにより、安易にひだの山が形成でき、しかも、これら押し込まれた筒状原料（１）のひだ（３）のそれぞれ両側、即ち、ひだの山（４ａ）（４ａ′）にファスナー（５）を貼り付け、これらを加硫することにより、作業が極めて簡単な製法で水田用長靴が得られ、省力的に製造できる等極めて有益なる効果を奏すものである。
【００１６】
そして、この発明の第二の発明によると、長靴の金型本体（Ｘ）の側面に、頂部にスリット（Ｙ）を有するスリット形成部材（Ｘａ）を装着し、該スリット形成部材（Ｘａ）を装着した金型本体（Ｘ）に、長靴となる一端を閉塞した筒状原料（１）を嵌挿し、スリット（Ｙ）には、スリット（Ｙ）に嵌まる挿入具（Ｚ）で、筒状原料をスリット（Ｙ）内部に押し込み、一時固定することにより、既存の部材である長靴の金型本体（Ｘ）をそのまま利用でき、スリット形成部材（Ｘａ）を取り外せば、元の長靴の金型本体（Ｘ）として使用でき、また、スリット形成部材（Ｘａ）により安易にひだの山が形成でき、しかも、これら押し込まれた筒状原料（１）のひだ（３）のそれぞれ両側、即ち、ひだの山（４ａ）（４ａ′）にファスナー（５）を貼り付け、これらを加硫することにより、作業が極めて簡単な製法で水田用長靴が得られ、省力的に製造できる等極めて有益なる効果を奏すものである。
【図面の簡単な説明】
【図１】この発明の一実施例を示す斜視図である。
【図２】この発明の製造工程の一実施例を示す説明図である。
【図３】この発明の一実施例を示す一部欠截要部拡大図である。
【図４】この発明の他の製造工程の一実施例を示す説明図である。
【図５】この発明の他の一実施例を示す一部欠截要部拡大図である。
【符号の説明】
１  筒状原料
２  履き口
３  折り畳みひだ
４ａ  両側
４ａ′両側
５  ファスナー
６  ゴム片
１０  長靴本体
Ａ  踝
Ｘ  金型本体
Ｘａ  スリット形成部材
Ｙ  スリット
Ｚ  挿入具
【図１】
0003684379.tif 000002
【図２】
0003684379.tif 000003
【図３】
0003684379.tif 000004
【図４】
0003684379.tif 000005
【図５】
0003684379.tif 000006